【事件の表示】
　特願２０１０−２３４６３５「光学機器用遮光部材、およびそれを用いた光学機器の製造方法」拒絶査定不服審判事件〔平成２４年　５月１０日出願公開、特開２０１２−　８８４９９〕について、次のとおり審決する。
【結　論】
　本件審判の請求は、成り立たない。
【理　由】
第１　手続の経緯
　本願は、平成２２年１０月１９日の出願であって、平成２６年３月１２日付けで拒絶の理由が通知され、同年５月２８日付けで意見書が提出されるとともに手続補正がなされ、同年１１月１２日付けで最後の拒絶の理由が通知され、平成２７年１月１６日付けで意見書が提出されるとともに手続補正がなされ、同年４月２８日付けで同年１月１６日付けの手続補正が却下されるとともに、同日付けで拒絶査定がなされ、これに対して、同年８月１８日付けで拒絶査定不服審判が請求されると同時に手続補正がなされたものである。
　
第２　平成２７年８月１８日になされた手続補正についての補正却下の決定
〔補正却下の決定の結論〕
　平成２７年８月１８日になされた手続補正を却下する。
　
〔理由〕
１　本件補正の内容
（１）本件補正後の特許請求の範囲の記載
　平成２７年８月１８日になされた手続補正（以下、「本件補正」という。）により、特許請求の範囲の請求項１の記載は次のとおり補正された。（下線部は、補正箇所である。）
「表面が粗面化されてなる剥離可能な基材の粗面化面上に、バインダー樹脂であるウレタン樹脂及び黒色微粒子を含む遮光層を有してな
り、剥離可能な基材を剥離した後の遮光層の厚みは２〜２０μｍであるこ
（２）本件補正前の特許請求の範囲の記載
　本件補正前の、平成２６年５月２８日になされた手続補正によって補正された請求項１の記載は次のとおりである。
「表面が粗面化されてなる剥離可能な基材の粗面化面上に、バインダー樹脂であるウレタン樹脂及び黒色微粒子を含む遮光層を有してなることを特徴とする光学機器用遮光部材。」
（３）本件補正後の請求項１に係る上記１（１）の補正は、本件補正前の請求項１に係る発明を特定するために必要な事項である「遮光層」を「
剥離可能な基材を剥離した後
厚み
２〜２０μｍである
２　本件補正の適否
（１）上記１（３）の補正は、本件補正前の請求項１において記載されていた「遮光層」を、願書に最初に添付した明細書の【００３１】、【００４１】〜【００４７】及び【００５３】の記載に基づいて、「遮光層」を「
剥離可能な基材を剥離した後
厚み
２〜２０μｍである
（２）上記（１）からみて、本件補正後の請求項１は、特許法第１７条の２第３項に規定する要件を満たす。また、本件補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　そこで、本件補正後の請求項１に係る発明（以下、「本願補正発明」という。）が、特許出願の際独立して特許を受けることができるものであるか（特許法第１７条の２第６項において準用する同法第１２６条第７項の規定に適合するか）について以下検討する。
（３）本願補正発明
　本願補正発明は、上記１（１）に記載したとおりのものである。
（４）引用例の記載事項
ア　原査定の拒絶の理由に引用文献１として引用された国際公開第２００９／０１４２６４号（以下、「引用例１」という。）には、次の事項が図とともに記載されている。（なお、日本語訳については、引用例１の日本語ファミリー文献である特表２０１０−５３４３４２号公報の記載を援用する。）
（ア）「[0001]
　
The present invention relates to a light-shielding film and a lens unit including the light-shielding film. 
（日本語訳）
「［０００１］
　
本発明は、遮光性フィルム及び該フィルムを有するレンズユニットに関する。
（イ）「[0006] 
　The present invention has been made in view of the above-mentioned state of the art. 
The present invention provides a light-shielding film excellent in light-shielding property and heat resistance, a production method of such a film, and a lens unit including such a film.
（日本語訳）
「［０００６］
　本発明は、上記現状に鑑みてなされたものである。
本発明は、遮光性、耐熱性に優れた遮光性フィルム、該フィルムの製造方法、及び、該フィルムを有するレンズユニットを提供するものである。
（ウ）「[0008]
　That is, 
the present invention is a light-shielding film including an organic resin and a black material, wherein the organic resin is a cured product of a curable resin or a thermoplastic resin having a glass transition temperature (hereinafter, also referred to as a Tg) of 150℃ or more. 
　The present invention is also a light-shielding film including an organic resin and a black material, wherein the organic resin is at least one selected from the group consisting of a polyimide resin, an epoxy resin, a fluorinated aromatic polymer, a polyether ketone resin, and a polyethylene naphthalate resin.
　
The present invention is a production method of a light-shielding film including an organic resin and a black material, wherein the production method includes a surface roughness-forming step of forming a rough surface of the light-shielding film.
　Further, the present invention is a lens unit including the light-shielding film and a lens, wherein the lens unit has reflow resistance. The present invention is mentioned below in more detail.
[0009]
　The present invention is a light-shielding film including an organic resin and a black material. Such a light-shielding film (also referred to as a light-shielding film) has a function of shielding light having a desired wavelength, for example, by scattering or absorbing such light. 
・・・略・・・
　
The above-mentioned organic resin included in the light-shielding film contains a cured product of a curable resin or a thermoplastic resin having a Tg of 150℃ or more.
・・・略・・・
In the present description, the cured product of a curable resin means a cured or semi-cured product of a curable resin. A cured product having a cross-linking structure formed by cross-linking of a curable resin may be mentioned as a preferable embodiment.
（日本語訳）
「［０００８］
　すなわち、
本発明は、有機樹脂と黒色材料とを含む遮光性フィルムであって、上記有機樹脂は、硬化性樹脂硬化物又はガラス転移温度（以下、「Ｔｇ」ともいう。）が１５０℃以上の熱可塑性樹脂を含有するものである遮光性フィルムである。
　本発明はまた、有機樹脂と黒色材料とを含む遮光性フィルムであって、上記有機樹脂は、ポリイミド樹脂、エポキシ樹脂、フッ素化芳香族ポリマー、ポリエーテルケトン樹脂及びポリエチレンナフタレート樹脂からなる群より選ばれる少なくとも一種である遮光性フィルムでもある。
　
本発明は、有機樹脂と黒色材料とを含む遮光性フィルムを製造する方法であって、上記製造方法は、表面に凹凸を形成された遮光性フィルムを製造する表面凹凸形成工程を有するものである。
　さらに、本発明は、遮光性フィルムとレンズとを備えるレンズユニットであって、上記レンズユニットは、耐リフロー性を有するレンズユニットでもある。本発明は、以下に詳述される。
［０００９］
　本発明は、有機樹脂と黒色材料とを含む遮光性フィルムである。このような遮光性フィルム（「遮光フィルム」とも言う。）は、所望の波長の光を散乱・吸収等することにより、該波長の光を遮光する機能を有するものである。
・・・略・・・
　
上記遮光性フィルムに含まれる有機樹脂は、硬化性樹脂硬化物又はＴｇが１５０℃以上の熱可塑性樹脂を含有するものである。
・・・略・・・
本明細書中で、「硬化性樹脂硬化物」は、硬化性樹脂が硬化又は半硬化したものである。硬化性樹脂を架橋させることによって形成された架橋構造を有する硬化物は、好ましい形態の一つである。
（エ）「[0023] 
　The light-shielding film of the present invention includes the black material. The above-mentioned black material provides the light-shielding film of the present invention with a light-shielding property. Various blackmaterials can be used. The content of the black material in the above-mentioned light-shielding film is preferably 1 to 50% by weight relative to 100% by weight of a total amount of the black material and the organic resin. 
・・・略・・・
It is preferable that the black material is dispersed or dissolved in the organic resin. If the black material is not dispersed or dissolved in the organic resin, the light-shielding film might not be uniformly blackened, possibly resulting in insufficient light-shielding property. That is, it is preferable that the light-shielding film of the present invention is obtained using, as a raw material, a light-shielding resin composition prepared by dispersing or dissolving a black material in the organic resin raw material (resin binder) .
[0024] 
　The following materials may be preferably used as the above-mentioned black material. The following black fine particles. Carbon fine particles such as carbon black and graphite; inorganic black fine particles, e.g. , metal oxide black fine particles such as titanium black; black organic fine particles (organic black fine particles) such as aniline black. Anthraquinone, indigoid, diazo black organic dyes . 
・・・略・・・
　
Among the above-mentioned black material, fine particles are preferable as the black material. Various black fine particles can be used.
（日本語訳）
「［００２３］
　本発明の遮光性フィルムは、黒色材料を含むものである。上記黒色材料は、本発明の遮光性フィルムに遮光性を付与するものである。種々の黒色材料を用いることができる。上記遮光性フィルム中の黒色材料の含有量としては、黒色材料と有機樹脂との合計１００質量％中、１〜５０質量％であることが好ましい。
・・・略・・・
黒色材料は、有機樹脂に分散又は溶解されて存在することが好ましい。黒色材料が、分散又は溶解された状態で存在しない場合、遮光性フィルムが均一に黒色とならず、不充分な遮光性となる可能性がある。すなわち、本発明の遮光性フィルムは、黒色材料を有機樹脂原料（樹脂バインダー）に分散又は溶解含有されてなる遮光性樹脂組成物を原料として得られることが好ましい。
［００２４］
　上記黒色材料としては、以下の材料を好適に使用し得る。以下の黒色微粒子。カーボンブラック、黒鉛等の炭素系黒色微粒子；チタンブラック等の金属酸化物系黒色微粒子等の無機系黒色微粒子；アニリンブラックのような黒色系有機微粒子（有機系黒色微粒子）。アントラキノン、インジゴイド、ジアゾ系黒色有機染料。
・・・略・・・
上記黒色材料の中でも、黒色材料として、微粒子が好ましい。種々の黒色微粒子を用いることができる。
（オ）「[0034]
　The organic resin of the present invention includes the above-mentioned cured product of the curable resin or the thermoplastic resin having a Tg of 150℃. Such an organic resin may include a heat-resistant resin having a Tg of 150℃ or more(also referred to as a resin A) or a cured product of a curable resin having a Tg of less than 150℃ (also referred to as a resin B) . Thus, the preferable embodiments of the present invention also include a light-shielding film including an organic resin and a black material wherein the organic resin includes a thermoplastic resin having a Tg of 150℃ or more and a cured product of a curable resin having a Tg of less than 150℃. A thermoplastic resin having a Tg of 150℃ or more and/or a cured product of a curable resin having a Tg of 150℃ or more are/is preferable as a preferable embodiment of the heat-resistant resin having a Tg of 150℃ or more.
・・・略・・・
[0036]
　The above-mentioned
 light-shielding film is excellent in heat resistance because of the above-mentioned configuration.
・・・略・・・」 
（日本語訳）
「［００３４］
　本発明の有機樹脂としては、上述した硬化性樹脂硬化物又はＴｇが１５０℃以上の熱可塑性樹脂を含有するものである。このような有機樹脂としては、Ｔｇが１５０℃以上の耐熱性樹脂（「樹脂Ａ」とも言う。）又はＴｇが１５０℃未満の硬化性樹脂硬化物（「樹脂Ｂ」とも言う。）を含有するものであってもよい。このように、本発明の好ましい形態の一つとして、有機樹脂と黒色材料とを含む遮光性フィルムであって、該有機樹脂は、Ｔｇが１５０℃以上の熱可塑性樹脂及びＴｇが１５０℃未満の硬化性樹脂硬化物を含有するものも含まれる。Ｔｇが１５０℃以上の熱可塑性樹脂、及び／又は、Ｔｇが１５０℃以上の硬化性樹脂硬化物は、Ｔｇが１５０℃以上の耐熱性樹脂の好ましい形態として好ましい。
・・・略・・・
［００３６］
　上記
遮光性フィルムは、上述した構成により、耐熱性に優れている。
・・・略・・・」
（カ）「[0037]
　It is preferable that 
at least one surface of the light-shielding film has a rough structure
a matte surface
・・・略・・・」
（日本語訳）
「［００３７］
　遮光性フィルムの
少なくとも一つの表面が、凹凸構造を有する
マット面を有し
・・・略・・・」
（キ）「[0045]
　The above-mentioned rough structure is not especially limited as long as the surface has the above-mentioned rough structure. It is preferable that the light-shielding film has such a rough structure without containing fine particles other than the black fine particles. If the light-shielding film containing fine particles in addition to the black fine particles has a rough structure, white or light-colored fine particles are generally included as the fine particles. Therefore, external light is reflected by the fine particles existing near the surface of the light-shielding film and as a result, the light-shielding property of the light-shielding film might be insufficient. Particularly in order to produce a light-shielding film excellent in heat resistance, the used fine particles needs heat resistance.
・・・略・・・
　It is preferable that at least one surface of the light-shielding film has a rough structure. More preferably, both surfaces of the light-shielding film have a rough structure . If both surfaces of the light-shielding film have a rough structure, the above-mentioned effects can be sufficiently exhibited.
[0046]
　The light-shielding film of the present invention is not especially limited as long as it includes the light-shielding layer (also referred to as a black layer) including: the organic resin containing the cured product of the curable resin or the thermoplastic resin having a Tg of 150℃ or more . If necessary, the light-shielding film may contain other components. 
If the light-shielding layer is a thin film having an insufficient strength, it is preferable the light-shielding film includes a base material to have a sufficient strength. Preferable embodiments of the light-shielding film include: (1) an embodiment in which the light-shielding film is a multilayer film including a base material and the light-shielding layer (formed on one surface of the base material) ; (2) an embodiment in which the light-shielding film is a multilayer film including a base material and the light-shielding layers (each formed on both surfaces) ;
　
According to the embodiments (1) and (2), the strength of the light-shielding film can be obtained because of the base material. Therefore, the light-shielding layer can be thinned. If the light-shielding layer is thin, the following advantages can be obtained: the film thickness can be easily controlled when the light-shielding resin composition is applied; the solvent contained in the composition can be vaporized and removed by drying for a short time; and a light-shielding layer in which generation of defects which reduce the light-shielding performances and which are generated in the film, such as foam generated when the solvent is vaporized, is suppressed, can be easily obtained. According to the embodiments (1) and (2) in which the light-shielding film is a multilayer film including a base material and the light-shielding layer (s) , the thickness of the light-shielding layer is preferably 5 μm or more, and more preferably 10 μm or more. The upper limit of the thickness of the light-shielding layer is preferably 80 μm or less, and more preferably 50 μm or less, and still more preferably 30 μm or less. Further, the particularly preferable range is 10 to 30 μm. 
（日本語訳）
「［００４５］
　上記凹凸構造としては、表面に上述した構造の凹凸を有する限り特に限定されない。遮光性フィルムは、黒色微粒子以外の微粒子を含有しない凹凸構造を有していることが好ましい。黒色微粒子に加えて、微粒子を有した遮光性フィルムが凹凸構造を有している場合、微粒子は通常、白色又は淡色微粒子である。したがって、外光は、遮光性フィルムの表面近傍に存在する該微粒子により反射され、結果として、遮光性フィルムの遮光性が不充分になるおそれがある。特に、遮光性フィルムを耐熱性に優れたものとする場合、用いる微粒子にも耐熱性が求められる。
・・・略・・・
　遮光性フィルムは、少なくとも1つの表面に凹凸構造を有していることが好ましい。より好ましくは、遮光性フィルムの両面に凹凸構造を有するものである。遮光性フィルムの両面に凹凸構造を有することにより、上述した効果が充分に発揮されることとなる。
［００４６］
　本発明の遮光性フィルムは、遮光層（黒色層とも言う。）が硬化性樹脂硬化物又はＴｇが１５０℃以上の熱可塑性樹脂を含有する有機樹脂を含んでいるものであれば、必要であれば、遮光性フィルムは、その他の構成要素を含んでもよい。
遮光層が充分な強度を持たない薄膜である場合は、充分な強度とするために、遮光性フィルムは基材を含むことが好適である。遮光性フィルムの形態としては、（１）遮光性フィルムが、基材と遮光層（基材の１つの表面に形成された）を含む積層フィルムである形態、
遮光性フィルムが、基材と遮光層（基材の両面に形成された）を含む積層フィルムである形態
が好適である。
　
（１）及び（２）の形態によれば、基材により遮光性フィルムの強度を得ることができる。したがって、遮光層を薄くすることができる。遮光層が薄い場合、以下の利点を得られる：遮光性樹脂組成物を適用したときに、フィルムの厚さを容易に制御できる；組成物に含まれる溶剤が、短時間の乾燥により蒸発及び除去できる；溶剤の蒸発時に生成される泡のように、フィルム中に形成され、遮光性能を低下させる膜内の欠陥生成が、抑制された遮光性フィルムを容易に得られる。基材と遮光層とを含む積層フィルムである遮光性フィルムである（１）及び（２）の形態によれば、遮光層の厚みは、好ましくは５μｍ以上であり、より好ましくは、１０μｍ以上である。遮光層の厚みの上限は、好ましくは８０μｍ以下である、より好ましくは、５０μｍ以下であり、更に好ましくは、３０μｍ以下である。さらに、特に好ましい範囲は、１０〜３０μｍである。
（キ）「[0057]
・・・略・・・
　The light-shielding film preferably has an embodiment in which at least one, preferably both surfaces of the film have roughness in order to suppress the light-shielding film from reflecting light. The following methods including a surface roughness-forming step are preferable as the method for producing the light-shielding film having a rough surface. That is, the present invention is a production method of a light-shielding film including an organic resin and a black material, 
wherein the production method includes a surface roughness-forming step of producing a light-shielding film having a rough surface by a transfer method by a transfer method. 
・・・略・・・
[0058]
　
The above-mentioned surface roughness-forming step is a step of producing the light-shielding film having a rough surface using a transfer layer having roughness with which the light-shielding film surface is provided (also referred to as a rough layer, a base material for transferring roughness, a transfer material).
Specifically, it is preferable that the light-shielding resin composition containing the organic resin raw material and the black material (light-shielding layer-forming composition) is brought into contact with the above-mentioned transfer layer, thereby being provided with roughness. In this case, it is preferable that a light-shielding resin composition which is not solidified or cured or which has not completely solidified or cured is brought into contact with the above-mentioned transfer layer, and if necessary, drying, solidification, and curing are performed, and as a result, the roughness is formed.
・・・略・・・」
（日本語訳）
「［００５７］
・・・略・・・
　
　遮光性フィルムは、好ましくは、該遮光性フィルムによる反射等を抑制するために、フィルムの少なくとも片面、好ましくは両面に凹凸構造を有している形態を有する。表面凹凸構造形成工程を含む、以下に示す方法は、凹凸表面を有する遮光性フィルムの製造方法として好ましい。すなわち、本発明は、有機樹脂と黒色材料とを含む遮光性フィルムの製造方法であって、
前記製造方法は、転写法により形成された凹凸表面を有する遮光性フィルムの製造における、表面凹凸構造形成工程を含む。
・・・略・・・
［００５８］
　
上記表面凹凸形成工程とは、遮光性フィルム表面に供給される凹凸形状を有する転写層（凹凸層、凹凸転写用基材、転写材とも言う。）を用いて、該表面に凹凸が形成された遮光性フィルムを製造する工程である。具体的には、有機樹脂原料と黒色材料とを有する遮光性樹脂組成物（遮光層形成組成物）が、上記転写層に接触させられて、それによって凹凸構造が供給されることが好ましい。この場合、固化若しくは硬化していない、又は、固化若しくは硬化が完了していない遮光性樹脂組成物は、上記転写層に接触させられ、必要に応じて、乾燥・固化・硬化が実施され、凹凸構造が形成されることが好ましい。
・・・略・・・」
（ク）「[0061]
　In the above-mentioned surface roughness-forming step, it is preferable that the light-shielding resin composition is brought into contact with the transfer layer, thereby being provided with the roughness. Specific methods may be appropriately selected depending on the components included in the light-shielding resin composition or characteristics of the composition. 
For example, the following transfer methods may be used.
　
Transfer method (1) : a composition-applied layer (film) with roughness is prepared by applying the light-shielding resin composition on a transfer layer (for example, a base material having a rough surface) , and then the composition-applied layer(film) is dried and solidified, or cured or reacted (reacted with polyamic acid to become polyimide, for example) (this method is also referred to as a base material mold-transfer method) . In this case, the shaped light-shielding resin composition layer (film) is separated from the transfer layer after the roughness is formed, generally. Either frosted glass or a matte film (PET having a rough surface and the like) is preferable as the transfer layer.
・・・略・・・」
（日本語訳）
「［００６１］
　上記表面凹凸形成工程としては、遮光性樹脂組成物が転写層に接触させられ、それによって凹凸構造が供給されることが好適である。遮光性樹脂組成物の組成または組成物の特性によって、具体的な方法を適宜選択することが可能である。
例えば、以下の転写法が使用できる。
　転写法（１）：凹凸構造を有した組成物が適用された層（フィルム）が、転写層（例えば、凹凸表面を有する基材）の上に遮光性樹脂組成物を塗布することで用意され、それから、凹凸構造を有した組成物が適用された層（フィルム）は、乾燥・固化、又は、硬化若しくは反応（例えば、ポリアミック酸を反応させてポリイミドにする反応）させられる（この方法はまた、基材転写法が参照される）。この場合、通常は、凹凸構造が形成された後に、転写層から、成形された遮光性樹脂組成物の層（フィルム）を剥離する。転写層としては、すりガラス、又は、マットフィルム（表面凹凸ＰＥＴ等）のいずれかが好ましい。
・・・略・・・」
（ケ）「[0070]
　One or more of the above-mentioned transfer methods (1) to (4) can be appropriately selected and used depending on the light-shielding resin composition, the produced light-shielding film, and the like. According to the transfer methods (1) to (3) , uniform and fine roughness can be formed stably, and therefore the controllability of the size and embodiment of the roughness is excellent (the size and the embodiment are not varied) , and further not only excellent flatness but also the matte property are provided for the film. In the above-mentioned two points, the transfer methods (1) to (3) are preferable. The method (3) is more preferable.
　
According to the above-mentioned transfer methods (1) to (4), the base material and/or the transfer layer (roughness-giving layer) might be integrated with the light-shielding resin composition in the surface roughness-forming step. Such a base material and/or a transfer layer may constitute a part of the light-shielding film, or may be removed. The transfer layer is generally removed (separated) , and if necessary the base material is removed.
・・・略・・・
[0071]
　
Preferable examples of the material for the above-mentioned transfer layer (transfer member) include:
 matte films (a polymer film provided with a matte treatment) such as a PET film provided with a matte treatment (a matte PET film) , a PP film provided with a matte treatment, and a matte PC film. 
・・・略・・・ 」
 （日本語訳）
「［００７０］
　上記転写法（１）〜（４）のうち、遮光性樹脂組成物、製造される遮光性フィルム等に応じて、１又はそれ以上が適宜選択されて用いられることができる。転写法（１）〜（３）によれば、一定できれいな凹凸構造が安定して形成され、したがって、凹凸の大きさ及び形態の制御性が優れており（サイズと形態は変化されない）、そのうえ、フィルムにすぐれた平坦性だけでなくマット特性も供給される。上記２つのポイントから、転写法（１）及び（３）が好ましい。転写法（３）が特に好ましい。
　
上記転写法（１）〜（４）によれば、基材及び／又は転写層（凹凸提供層）は、表面凹凸形成工程において遮光性樹脂組成物と一体化する場合がある。このような基材及び／又は転写層は、遮光性フィルムの一部を形成してもよく、さもなくば除去してもよい。通常、転写層は除去される（剥がされる）こととなり、必要に応じて基材は除去される。
・・・略・・・
［００７１］
　
上記転写層（転写材）の材質の好ましい例には、
マットフィルム（マット処理が供給されたポリマーフィルム）が、含まれる。このような材質は、
・・・略・・・」
（コ）「Ｆｉｇ．５（ａ）
」
（サ）上記（ア）ないし（コ）から、引用例１には、次の発明（以下、「引用発明」という。）が記載されていると認められる。
「有機樹脂原料と黒色材料とを有する遮光性樹脂組成物を、凹凸形状を有する転写層に接触させることにより凹凸構造が形成される遮光層を有する、レンズユニット等に装着される遮光性フィルムであって、
　前記転写層は、前記遮光性樹脂組成物と一体化するか、さもなくば除去しても良い、
　レンズユニット等に装着される遮光性フィルム」
（５）周知の事項
ア　原査定で引用文献２として引用された国際公開２００６／０１６５５５号（以下「周知例１」という。）には、次の記載がある。
（ア）「［０００１］
　本発明は、高性能一眼レフカメラ、コンパクトカメラ、ビデオカメラ、携帯電話、プロジェクタ等の光学機器のシャッター、絞り部材として好適に用いられる遮光部材に関する。」
（イ）「［０００９］
　本発明の光学機器用遮光部材は、合成樹脂フィルムからなる基材と、前記基材の少なくとも片面に形成された遮光膜とからなり、前記遮光膜は、バインダー樹脂、カーボンブラック、粒子状の滑剤、及び吸油量２５０（ｇ／１００ｇ）以上の微粒子を含有することを特徴とするものである。」
（ウ）「［００２０］
　
遮光膜に含有されるバインダー樹脂としては、
ポリウレタン樹脂、
（エ）「［００４１］
１．光学機器用遮光部材の作製
［実施例１、２及び比較例１〜６］
　基材として厚み５０μｍの黒色ポリエチレンテレフタレートフィルム（ルミラーＸ３０：東レ社）を使用し、その両面に下記処方の遮光膜用塗布液（ａ）〜（ｈ）をそれぞれバーコート法により乾燥時の厚みがそれぞれ１０μｍとなるように塗布し、乾燥を行って遮光膜Ａ〜Ｈを形成し、実施例１、２及び比較例１〜６の光学機器用遮光部材を作製した。なお、下記処方の遮光膜用塗布液（ａ）〜（ｈ）のアクリルポリオール等の含有量（部）を表１に示す。また、形成した遮光膜Ａ〜Ｈのアクリルポリオール等の含有率（％）を表２に示す。
［００４２］
＜遮光膜用塗布液（ａ）〜（ｈ）の処方＞
・アクリルポリオール（固形分５０％）　　　　（表１記載の部）
（アクリディックＡ８０４：大日本インキ化学工業社）
・イソシアネート（固形分７５％）　　　　　　（表１記載の部）
（バーノックＤＮ９８０：大日本インキ化学工業社）
・カーボンブラック　　　　　　　　　　　　　（表１記載の部）
（バルカンＸＣ−７２：キャボット社）
・滑剤　　　　　　　　　　　　　　　　　　　（表１記載の部）
(平均粒径８．５μm)(セリダスト3620:ヘキスト社）
・微粒子（シリカ）　　　　　　　　（表１記載の微粒子及び部）
・メチルエチルケトン　　　　　　　　　　　　　　　　６０部
・トルエン　　　　　　　　　　　　　　　　　　　　　４０部
」
イ　原査定で引用文献３として引用された特開平９−２７４２１８号公報（以下「周知例２」という。）は、本願の出願前に頒布された刊行物であって、当該周知例２には次の記載がある。
（ア）「【請求項１】　熱可塑性樹脂を主成分とする基材フィルムの両方の面に、
カーボンブラック、滑剤、艶消し剤を含有する熱硬化性樹脂層
遮光性フィルム
・・・略・・・
【請求項３】　
前記熱硬化性樹脂層の熱硬化性樹脂がポリウレタン
とを特徴とする請求項１または２に記載の遮光性フィルム。」
（イ）「【０００１】
【発明の属する技術分野】　本発明は、遮光性フィルムに関し、特に、写真用カメラ、ビデオカメラなどの
光学機器用の絞り羽根部材に使用する遮光性フィルム
（ウ）「【００１０】　本発明の遮光性フィルムは、前述したように、軽量性、遮光性と共に、滑り性、耐摩耗性、帯電防止性、平面性に優れていることが必要であり、この点から前記基材フィルムの両方の面に、カーボンブラック、滑剤、艶消し剤を含有させた熱硬化性樹脂層を設けることを特徴としている。
熱硬化性樹脂の硬化膜は、一般的に硬さがあり、耐熱性にも優れるため、遮光性フィルムの耐摩耗性、耐熱性を向上させる点で適している。
・・・略・・・
【００１１】　このような熱硬化性樹脂層に用いる
熱硬化性樹脂としては、例えば、ポリウレタン、
・・・略・・・
【００１４】　このように、熱硬化性樹脂の選定に際しては、その硬化条件などによる生産性の良否と共に、基材フィルムとの密着性や塗膜の強度など性能面も併せて総合的に判断する必要がある。この点、
前記熱硬化性樹脂の中で、ポリウレタンは、上記密着性や耐摩耗性などの性能、および加工性、経済性など総合的に優れており、特に好ましい。
ウ　周知例１ないし２から把握される周知技術
　上記アないしイからみて、本願の出願前に、「光学素子の技術分野において、黒色微粒子を含む遮光部材のバインダー樹脂として、ウレタン樹脂を使用すること」は、周知（以下、「周知技術」という。）であったと認められる。
（６）対比
　本願補正発明と引用発明とを対比する。
ア　引用発明の「凹凸形状」は、本願補正発明の「粗面」に相当し、引用発明の前記「凹凸形状」が形成された面が、本願補正発明の「粗面化面」に一致する。
イ　引用発明の「転写層」は、「凹凸形状」（本願補正発明の「粗面」に相当。以下「」に続く（）内の用語は、対応する本願補正発明の用語を表す。）を有し、遮光性樹脂組成物に接触させることにより凹凸構造が形成され、且つ、遮光性樹脂組成物から除去しても良いのであるから、本願補正発明の表面が粗面化されてなる剥離可能な基材」に相当する。
ウ　引用発明の「遮光層」は、本願補正発明の「遮光層」に相当する。
エ　引用発明において、「遮光層」（遮光層）は、遮光性樹脂組成物を「凹凸形状」（粗面）を有する「転写層」（基材）に接触させることにより凹凸構造が形成されるのであり、「凹凸形状」（粗面）が形成された面（粗面化面）の上に「遮光層」（遮光層）が形成されることが明らかであるから、引用発明と、本願補正発明とは、「基材の粗面化面上に、」「遮光層を有してなる」点で一致する。
オ　引用発明の「遮光層」（遮光層）は、有機樹脂原料と黒色材料とを有する遮光性樹脂組成物からなり、さらに引用例１には「遮光性フィルムは、黒色材料を有機樹脂原料（樹脂バインダー）に分散又は溶解含有されてなる遮光性樹脂組成物を原料として得られる・・・略・・・」（［００２３］）とも記載されているので、引用発明の「遮光層」と、本願補正発明の「遮光層」とは、「バインダー樹脂を含む」点で一致する。
カ　引用発明の「レンズユニット等に装着される遮光性フィルム」は、「レンズユニット等」が光学機器の一種であることは当業者にとって自明であるから、本願補正発明の「光学機器用遮光部材」である点で一致する。
キ　上記アないしカからみて、本願補正発明と引用発明とは、
「表面が粗面化されてなる剥離可能な基材の粗面化面上に、
　バインダー樹脂を含む遮光層を有してなる、
　光学機器用遮光部材。」である点（以下、「一致点」という。）で一致し、次の点で相違する。
　
・相違点１：
　バインダー樹脂が、
　本願補正発明では、「ウレタン樹脂」であるのに対し、
　引用発明では、ウレタン樹脂を用いることについて明記されていない点。
・相違点２：
　遮光層が、
　本願補正発明では、「黒色微粒子」を含むものであるのに対し、
　引用発明では、「黒色材料」を含んでいる点。
・相違点３：
　遮光層が、
　本願補正発明では、「剥離可能な基材を剥離した後」の「厚みは２〜２０μｍである」のに対し、
　引用発明では、転写層を除去した後の厚みが明らかでない点。
（７）判断
ア　上記相違点１について検討する。
（ア）引用例１には、「本発明は、・・・略・・・遮光性、耐熱性に優れた遮光性フィルム、該フィルムの製造方法、及び、該フィルムを有するレンズユニットを提供するものである。」（［０００６］）、「上記遮光性フィルムは、上述した構成により、耐熱性に優れている。」（［００３６］）と記載されており、引用例１に記載の遮光部材には耐熱性を課題としている。
（イ）さらに引用例１には、「上記遮光性フィルムに含まれる有機樹脂は、硬化性樹脂硬化物又はＴｇが１５０℃以上の熱可塑性樹脂を含有するものである。・・・略・・・本明細書中で、「硬化性樹脂硬化物」は、硬化性樹脂が硬化又は半硬化したものである。硬化性樹脂を架橋させることによって形成された架橋構造を有する硬化物は、好ましい形態の一つである。」（［０００９］）と記載されており、前記記載は、引用例１のバインダー樹脂として、架橋構造を形成する硬化性樹脂を用いることを示唆している。
（ウ）ここで、上記（５）で示した周知技術である「黒色微粒子を含む遮光部材のバインダー樹脂」である「ウレタン樹脂」は、ポリオールとイソシアネートによる架橋構造を有する硬化性樹脂であることは、技術常識であり、さらに、例えば周知例２に「熱硬化性樹脂の硬化膜は、一般的に硬さがあり、耐熱性にも優れるため、遮光性フィルムの耐摩耗性、耐熱性を向上させる点で適している。」（【００１０】）、「このような熱硬化性樹脂層に用いる熱硬化性樹脂としては、例えば、ポリウレタン・・・略・・・」（【００１１】）、「前記熱硬化性樹脂の中で、ポリウレタンは、上記密着性や耐摩耗性などの性能、および加工性、経済性など総合的に優れており、特に好ましい」（【００１４】）と記載されているように、耐熱性に優れた熱硬化性樹脂であることも、技術常識である。
（エ）したがって、引用発明のバインダー樹脂として、前記周知技術を採用することは、当業者であれば適宜なし得たことである。
イ　上記相違点２について検討する。
　引用例１には「上記黒色材料の中でも、黒色材料として、微粒子が好ましい。種々の黒色微粒子を用いることができる。」（［００２４］）と記載されていることから、引用発明の「黒色材料」として「黒色微粒子」を選択することは、当業者が適宜なし得たことである。
ウ　上記相違点３について検討する。
（ア）引用例１には、遮光層の厚みについて「遮光性フィルムの形態としては、（１）遮光性フィルムが、基材と遮光層（基材の１つの表面に形成された）を含む積層フィルムである形態、（２）遮光性フィルムが、基材と遮光層（基材の両面に形成された）を含む積層フィルムである形態、（３）遮光性フィルムが、遮光層からなる単層フィルムである形態、が好適である。・・・略・・・基材と遮光層とを含む積層フィルムである遮光性フィルムである（１）及び（２）の形態によれば、遮光層の厚みは、好ましくは５μｍ以上であり、より好ましくは、１０μｍ以上である。遮光層の厚みの上限は、好ましくは８０μｍ以下である、より好ましくは、５０μｍ以下であり、更に好ましくは、３０μｍ以下である。さらに、特に好ましい範囲は、１０〜３０μｍである。」（［００４６］）と記載されており、前記記載から、引用例１の遮光層の厚みの範囲は、基材との積層フィルム形態である場合に、「５μｍ以上、８０μｍ以下」である。
（イ）上記（ア）にて示した引用例１の遮光層と基材とからなる積層フィルム形態の遮光性フィルムは、例えば上記（４）ア（コ）にて示されているように、遮光層に凹凸形状を形成する転写層がない状態の遮光性フィルムについての記載であるところ、上記（ア）の厚み「５μｍ以上、８０μｍ以下」は、本願補正発明同様に「剥離可能な基材」がない状態の「遮光層の厚み」である。
（ウ）引用例１には「遮光層が薄い場合、以下の利点を得られる：遮光性樹脂組成物を適用したときに、フィルムの厚さを容易に制御できる；組成物に含まれる溶剤が、短時間の乾燥により蒸発及び除去できる；溶剤の蒸発時に生成される泡のように、フィルム中に形成され、遮光性能を低下させる膜内の欠陥生成が、抑制された遮光性フィルムを容易に得られる。」（［００４６］）と記載されており、前記記載から、引用例１の遮光層の厚みの範囲内において、できるだけ薄い厚みを選択して、結果として本願補正発明の「２〜２０μｍ」の範囲内の厚みとすることは、当業者であれば適宜なし得ることである。
エ　なお、審判請求人は、審判請求書【請求の理由】において「また、引用文献１には、遮光層単層の形態においては、遮光層の厚みは、フィルムの後加工が行いやすく、機械的強度の優れる点から、２０μｍ以上が好ましいと記載されています（段落番号００４７）。」（審判請求書３頁２４行〜２６行）と主張している。
　しかしながら、本願補正発明の遮光部材は、本願明細書に「なお、本発明の光学機器用遮光部材１は、遮光層１２上に第二基材１５を有していてもよい（図３，４）。このタイプは、使用時は剥離可能な基材を剥離するが、第二基材は残して使用する。」（【００３８】）と記載されているように、遮光層上に剥離可能な基材とは別に基材を設ける形態も除外していない。
　そして、審判請求人の上記主張は、遮光層が単層の場合についてのみ、引用例１と対比を行った主張であるので、審判請求人の上記主張は採用することができない。
　さらに、付言すると、上記主張を仮に参酌したとしても、審判請求人自らが主張しているように、引用例１に記載の遮光部材において、遮光層単層で遮光部材を形成する場合には、好ましい遮光層厚みが２０μｍ以上であるところ、本願補正発明における遮光部材の「遮光層の厚みは２〜２０μｍ」であり、引用例１の遮光層厚みの下限（２０μｍ）と、本願補正発明の遮光層厚みの上限（２０μｍ）とは重複しているのであって、引用例１においては上記ウ（ウ）にて示したように、できるだけ薄い厚みを選択して、結果として本願補正発明の遮光層厚み上限値と同様の厚みとすることは、当業者が適宜なし得ることでもあるので、上記主張を採用することはできない。
オ　そして、これらの相違点を総合的に勘案しても、本願補正発明の奏する作用効果は、引用発明及び周知技術の奏する作用効果から予測される範囲内のものにすぎず、格別顕著なものということはできない。
カ　したがって、本願補正発明は、当業者が引用発明及び周知技術に基づいて容易に発明をすることができたものであるから、特許法第２９条第２項の規定により特許出願の際独立して特許を受けることができないものである。
　
（８）　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１ないし５に係る発明は、平成２６年５月２８日に補正された特許請求の範囲の請求項１ないし５に記載された事項によって特定されるものであるところ、そのうち請求項１に係る発明（以下、「本願発明」という。）は、上記「第２〔理由〕１（２）」に本件補正前の請求項１として記載したとおりのものである。
　
２　引用例
　引用例の記載事項、周知の事項は、上記「第２〔理由〕２（４）及び（５）」に記載したとおりである。
　
３　対比・判断
　本願発明は、上記「第２〔理由〕１（３）」に記載したとおり、「遮光層」について「剥離可能な基材を剥離した後の遮光層の厚みは２〜２０μｍである」という限定事項を削除したものである。
　そうすると、本願発明と引用発明とは、上記「第２〔理由〕２（６）ク」に記載した上記相違点１及び相違点２で相違する。
　そして、引用発明において、相違点１に係る本願補正発明の構成となすことは、上記「第２〔理由〕２（７）ア」に記載したとおり、相違点２に係る本願補正発明の構成となすことは、上記「第２〔理由〕２（７）イ」に記載したとおり、当業者が適宜なし得たことであるから、本願発明は、当業者が引用発明に基づいて容易に発明をすることができたものである。
　
４　むすび
　本願発明は、以上のとおり、当業者が引用発明に基づいて容易に発明をすることができたものであるから、特許法第２９条第２項の規定により特許を受けることができない。
　よって、結論のとおり審決する。
　
以上